(57)【要約】      （修正有）【課題】屋根上のハウジングからカバープレートを出し入れすることによる自動車の前窓用カバーで、防眩性、防熱性を向上させ、霜や雪の付着を防止する。【解決手段】自動車の屋根上に、合成樹脂製のハウジング１を着脱自在に取り付け、その内部にガイドレール１１及び合成ゴム製のウェザーストリップ６によって支えられたカバープレート２を備え、カバープレート２はバッテリー電源７からモータ５によって作動されるＸアーム型レギュレータ４を、ガイドレール１１及び固定レール１３によりスライドさせて出入れするようにしたことを特徴とする自動車の前窓用カバー。【選択図】図２
0003112941.tif 000002
【実用新案登録請求の範囲】
【請求項１】
自動車の屋根上に、合成樹脂製のハウジング１を着脱自在に取り付け、その内部にガイドレール１１及び合成ゴム製のウエザーストリップ６によって支えられたカバープレート２を備え、カバープレート２はバッテリー電源７からモータ５によって作動されるＸアーム型レギュレータ４を、ガイドレール１１及び固定レール１３によりスライドさせて出入れすることを特徴とする自動車の前窓用カバー。
【請求項２】
合成樹脂製ハウジング１の素材は、ポリプロピレン及びポリウレタンなどの樹脂であることを特徴とする請求項１記載の前窓用カバー。
【請求項３】
カバープレート２の素材は、メタアクリル系樹脂を使用することを特徴とする請求項１記載の前窓用カバー。
【考案の詳細な説明】
【技術分野】
【０００１】  本考案は、自動車の前窓用カバーに関し、自動車の停車時にいわゆるフロントガラス表面を濃色透明の合成樹脂製のカバープレートで覆う事により、日光及び熱を遮ること、及び冬季における霜の防御、雪対策に役立つスライド式の前窓用カバーに関する。
【背景技術】
【０００２】  駐車場などでよく見かける日除けとして、運転席内にアルミコーティングした反射板をフロントガラスの内側に置いて強い日差しを防いだり、アウトドアスポーツの一つとしてキャンプなどで車中で仮眠すとるために、フロントガラス表面にだけ布をかぶせているのを見かけることがある。その様な方法をとることは、頻度が高ければ高いほど煩わしさもまた、高まる。【０００３】  屋根にある種のものを載せて、物入れに使用するルーフボックスや、スキー板や釣竿などの長尺物を載せるルーフラックは従来から存在していることは既知であるが、本考案のようにハウジングを屋根に載せる点で広義には共通しているものの、フロントガラスの表面を覆うカバープレートをスイッチ一つでハウジングから出し入れする類のものは市場に見られない。
【考案の開示】
【考案が解決しようとする課題】
【０００４】  本考案によって解決しようとする課題は、車中で仮眠をとったり、夏の炎天下などで車内への光線と熱を遮断すべく、布を張ったりフロントグリル内に反射板を置いたり、また、冬季における霜や雪がフロントガラスに付着したものを除去するのも面倒なことである。それを防ぐために前記のような処置をすることの煩わしさを解消するために、善後策はないものかとの動機から、着目したのが本考案の課題である。
【課題を解決するための手段】
【０００５】  本考案の構成要件は、自動車の屋根上に、合成樹脂製のハウジング１を着脱自在に取り付け、その内部にガイドレール１１及び合成ゴム製のウエザーストリップ６によって支えられたカバープレート２を備え、カバープレート２はバッテリー電源７からモータ５によって作動されるＸアーム型レギュレータ４を、ガイドレール１１及び固定レール１３によりスライドさせて出入れするようにしたことを特徴とする自動車の前窓用カバーを作製するものである。
【考案の効果】
【０００６】  本考案に係るカバープレート２を収納してあるハウジング１から出し入れするには、運転席に引き込んだスイッチ１０によりバッテリー７の直流電源でモーター５を回して行うが、駐停車した折に素早く簡単に操作できるため実用面での使い勝手が卓越している。また、夏の日差しのきついとき買物のために長時間駐車する際に使用したり、適当な木陰でちょっと仮眠したり、冬場の車庫外駐車時に霜除けや雪の積もりを防ぐ時などスイッチ１０一つでカバープレート２を簡単に操作できるため、その作用効果は大きい。
【考案を実施するための最良の形態】
【０００７】  ハウジング１の素材としては軽量であるのに超したことはなく、バンパーの素材であるポリプロピレン樹脂が好ましく、高価となるがポリウレタン樹脂もそれらの素材として挙げられる。ポリプロピレン樹脂は現代ではヒートガンで加熱して破れ目などを溶接できる等、使用上の幾つかの利点を持つ。【０００８】  ハウジング１の取付けは着脱自在とし、従来使用されているルーフボックスやルーフラックをフック３からステー３−１とバー３−２をハウジング１下部の留具３−３で固定している。ハウジング１の取外し時にコード９はコネクター８を抜くことにより行える。【０００９】  カバープレート２としては、合成樹脂製の耐熱、耐脆化、耐衝撃などの性質に優れたものが望ましいが、とりわけ航空機の風防ガラスとして良く知られているメタアクリル系の樹脂が好ましいが、耐熱変形のものであれば費用の面から他の合成樹脂プレートでもよい。
色彩は、防眩性が要求されることから濃色透明で、茶、ブロンズ、青、黒、緑が好ましく、目的に応じて紫外線カット他の機能を持たせることも望まれ、技術的に可能なら複数枚の格納が出来ればベターである。【００１０】  このカバープレート２は、水の進入を防いだりプレートの保持力の高い、ブタジエン系、クロロプレン系の合成ゴム製の物が推奨出来、このウエザーストリップ６と、Ｘアーム型レギュレータ４のガイドレール１１によってカバープレート２は保持されている。
カバープレート２の出し入れは、円形歯車１５によって作動する半月形歯車１２により、ハウジング１に取り付けられている固定レール１３を基点として、ウエザーストリップの終端Ａ迄引っ込められる。このカバープレート２の操作機構は従来一般に用いられている車のパワーウインドウ方式に因っている。
【実施例】
【００１１】  次に、本考案の前窓用カバーの実施例として図面との対比において説明すると、図１は該カバーを自動車の屋根に取り付けたところの側面説明図で、１はハウジング、２はカバープレート、３はフックでステー３−１を介してバー３−２とハウジング１の取付け部３−３で固定するが、それらの器具は市販品を使用する。車の種類によっては取り付けられないもの、フックの構造も異なる場合もある。４はＸアーム型レギュレータで小型のモータ５（図３）に繋ぐ。６はカバープレート２を保持しガイドするゴム製のウエザーストリップである。【００１２】  図２は、前窓用カバーの平面概念図で、７は電源となるバッテリーで直流１２Ｖで、コード９で繋ぐ。８はコネクターで運転席スイッチ１０を分岐し、ハウジング１を取り外す際の差込みである。１１はカバープレート２の後端部に固定したガイドレールで、Ｘアーム型レギュレータ４が固定レール１３を基点としてスライドしてカバープレート２を出し入れする。その場合、カバープレート２を全部出しきると、その保持面で安定性を欠くことになるから、３０センチ程度はウエザーストリップ６で保持してハウジング１内に残しておくことで解決できる。カバープレート２はウエザーストリップ６の終端Ａまで納められる。【００１３】  図３は、図２のハウジング１の後面Ｂからみた部分拡大図で、ハウジング１の上部に固定されているＸアーム型レギュレータ支持部１４の右方下の円形歯車１５に噛み合う半月形歯車１２により作動されるが、カバープレート２は、Ｘアーム型レギュレータ４がガイドレール１１及び固定レール１３をスライドすることによってウエザーストリップ６で側部を挟持されながら移動する。【００１４】  図３中４−１はＸアーム型レギュレータ４の３アーム片の支軸で、４−２はＸアーム型レギュレータ４を回動自在に半月形歯車１２と一体化した回動軸である。
【産業上の利用可能性】
【００１５】  自動車の運転席に入る光線ならびに熱を遮るために、また、冬季にあって、霜や雪の障害を防ぐ上で従来は反射板で覆ったり、布を被せたり、また、違反とも言える濃色のブロンズガラスなどをフロントガラスとして用いたりしていたが、運転上支障を来し好ましいことといえなかったが、本考案のように運転席のスイッチ一つでカバープレート２を出し入れすることが可能となり、一種のカーアクセサリーとして市場性は高いものと考えられる。
【図面の簡単な説明】
【００１６】
【図１】本考案に係る前窓用カバーの側面説明図
【図２】本考案に係る前窓用カバーの平面概念図
【図３】本考案に係るハウジングの後面部分拡大図
【符号の説明】
【００１７】１      ハウジング
２      カバープレート
３      フック
４      Ｘアーム型レギュレータ
５      モータ
６      ウエザーストリップ
７      バッテリー
８      コネクター
９      コード
１０    スイッチ
１１    ガイドレール
１２    半月型歯車
１３    固定レール
１４    Ｘアーム型レギュレータ支持部
１５    円形歯車
Ａ      ウエザーストリップ終端
【図１】
0003112941.tif 000003
【図２】
0003112941.tif 000004
【図３】
0003112941.tif 000005